(57)【要約】【課題】簡易な構成により、画像品質が劣化する前にメンテナンス部品の交換時期を確実に把握することが可能であり、画像品質に優れた画像形成装置を実現することを可能とする交換構成部品の新旧検知機構を得ること。【解決手段】交換可能な交換構成部品と、前記交換構成部品が新品であるか旧品であるかを検知する検知手段と、前記交換構成部品と前記検知手段とを接続する接続部材と、を備え、前記接続部材は、前記交換構成部品と前記検知手段とを接続する経路の途中に、自部材を複数に分割可能なコネクタ部を有し、前記検知手段は、前記コネクタ部が分割しているか否かの接続状態に基づいて前記交換構成部品が新品であるか旧品であるかを検知する。【選択図】        図３−１
2009058680.tif 000002
【特許請求の範囲】
【請求項１】
交換可能な交換構成部品と、
前記交換構成部品が新品であるか旧品であるかを検知する検知手段と、
前記交換構成部品と前記検知手段とを接続する接続部材と、
を備え、
前記接続部材は、前記交換構成部品と前記検知手段とを接続する経路の途中に、自部材を複数に分割可能なコネクタ部を有し、
前記検知手段は、前記コネクタ部が分割しているか否かの接続状態に基づいて前記交換構成部品が新品であるか旧品であるかを検知すること、
を特徴とする交換構成部品の新旧検知機構。
【請求項２】
前記コネクタ部を分割させるための動力を発生する動力発生手段と、
前記検知手段において前記交換構成部品が新品であると検知した場合に、前記接続部材を前記コネクタ部において分割するように前記動力発生手段の動作を制御する制御手段と、
を備えることを特徴とする請求項１に記載の交換構成部品の新旧検知機構。
【請求項３】
前記動力発生手段が、モータ、クラッチまたはソレノイドのうちのいずれか１つであること、
を特徴とする請求項１に記載の交換構成部品の新旧検知機構。
【請求項４】
交換可能な交換構成部品を交換する工程と、
途中部に設けられたコネクタ部において分割が可能であるとともに前記コネクタ部の接続状態に基づいて前記交換構成部品が新品であるか旧品であるかを検知する検知手段に一端が接続された接続部材の他端を前記交換構成部品に接続する工程と、
前記検知手段において、前記コネクタ部が分割しているか否かの接続状態に基づいて前記交換構成部品が新品であるか旧品であるかを検知する工程と、
を含むことを特徴とする交換構成部品の新旧検知方法。
【請求項５】
前記検知工程において前記交換構成部品が新品であると検知した場合に、前記接続部材を前記コネクタ部において分割する工程と、
を含むことを特徴とする請求項４に記載の交換構成部品の新旧検知方法。
【発明の詳細な説明】
【技術分野】
【０００１】
本発明は、交換構成部品の新旧検知機構および交換構成部品の新旧検知方法に関するものであり、特に、電子写真装置等に用いられる画像形成装置であって使用者交換部品を有する画像形成装置における交換構成部品の新旧検知機構および交換構成部品の新旧検知方法に関する。
【背景技術】
【０００２】
ユーザー設置仕様である画像形成装置は、現像ユニット、感光体ユニット、転写ユニット、定着ユニット等の機能ユニットを備えている。これらのユニットにおける部材（メンテナンス部品）は、一般的に画像品質の維持のために適切な期間または印字枚数で、使用者またはメンテナンス要員等によって交換する必要がある。たとえば定着ユニットでは、過度に使用すると定着ベルトの表面にトナーが固着したりテフロン（登録商標）層が剥離して定着不良や搬送不良が発生し、画像品質に重大な影響を与える。したがって、画像品質の維持のためには、画像形成装置の各部材の交換時期を確実に把握、管理し、画像品質が劣化する前にメンテナンス部品の交換をする必要がある。
【０００３】
そこで、例えば画像形成装置の定着装置の交換時期を確実に把握させる技術として、トナー像が形成された用紙を加熱する定着ベルトと、定着ベルトを内面から加熱する加熱ローラと、加熱された定着ベルトを内面から押圧する定着ローラと、定着ローラ及び定着ベルトと対向する加圧ローラとにより用紙を狭圧搬送しながら加熱し、トナー画像を用紙上に定着させるベルト型の定着装置において、定着ベルトの副射熱又は対流熱により溶断する新品検知用温度ヒューズと、この新品検知用温度ヒューズが溶断しているか否かに基づき、定着装置が新品か否かを判定させる制御部とを備える画像形成装置が開示されている（たとえば、特許文献１参照）。
【０００４】
【特許文献１】特開２００６−１５４３３１号公報
【発明の開示】
【発明が解決しようとする課題】
【０００５】
ところで、メンテナンス部品の交換時期の管理には、メンテナンス部品の使用実績（時間、回数など）を管理しているパーツメンテナンス（ＰＭ）カウンタが広く用いられている。このようなパーツメンテナンスカウンタを利用している場合には、メンテナンス部品の交換時にパーツメンテナンスカウンタを確実に初期化することが求められる。そして、そのためにはメンテナンス部品が新品になったかどうかを確実に検知することが必要である。
【０００６】
しかしながら、上記の技術のように新品検知用にヒューズを用いる場合には、ヒューズの個体差により新品か否かの判断に誤差が生じる虞がある。
【０００７】
本発明は、上記に鑑みてなされたものであって、簡易な構成により、画像品質が劣化する前にメンテナンス部品の交換時期を確実に把握することが可能であり、画像品質に優れた画像形成装置を実現することを可能とする交換構成部品の新旧検知機構および交換構成部品の新旧検知方法を得ること目的とする。
【課題を解決するための手段】
【０００８】
上述した課題を解決し、目的を達成するために、本発明にかかる交換構成部品の新旧検知機構は、交換可能な交換構成部品と、前記交換構成部品が新品であるか旧品であるかを検知する検知手段と、前記交換構成部品と前記検知手段とを接続する接続部材と、を備え、前記接続部材は、前記交換構成部品と前記検知手段とを接続する経路の途中に、自部材を複数に分割可能なコネクタ部を有し、前記検知手段は、前記コネクタ部が分割しているか否かの接続状態に基づいて前記交換構成部品が新品であるか旧品であるかを検知すること、を特徴とする。
【発明の効果】
【０００９】
この発明によれば、交換構成部品の交換後、コネクタ部が分割しているか否かの接続状態により交換構成部品が新品であることを容易かつ確実に把握することができる。したがって、交換構成部品の交換時における交換構成部品の使用実績をカウントするカウンタの管理を確実に行うことができる。これにより、画像品質が劣化する前に交換構成部品の交換時期を確実に把握することが可能な、画像品質に優れた画像形成装置が得られる、という効果を奏する。
【発明を実施するための最良の形態】
【００１０】
以下に、本発明にかかる交換構成部品の新旧検知機構および交換構成部品の新旧検知方法の実施の形態を図面に基づいて詳細に説明する。なお、本発明は以下の記述に限定されるものではなく、本発明の要旨を逸脱しない範囲において適宜変更可能である。
【００１１】
実施の形態１．
図１は、本発明の実施の形態１にかかる画像形成装置であるユーザー設置プリンタ１を示す図である。実施の形態１にかかる画像形成装置であるユーザー設置プリンタ１は、本発明にかかる交換構成部品の新旧検知機構を有している。ユーザー設置プリンタ１の場合、寿命部品である交換構成部品の交換についてはユーザー自らが交換を行なう必要がある。交換構成部品には、個々の単位で交換がなされるメンテナンス部品や、所定の単位での交換がなされるメンテナンスユニットが含まれる。
【００１２】
そこで、ユーザー設置プリンタ１の場合には、メンテナンス部品の交換時期を管理するために、画像形成装置の制御部が、メンテナンス部品や各ユニット毎に設定された交換時期をメンテナンスカウンタにより計数し、交換時期が到達するとユーザー設置プリンタ１が備える操作パネル１１上の表示装置に交換要求を表示する。
【００１３】
図２は、ユーザー設置プリンタ１がプリンタ印字の作像のためにその内部に備える主要な構成部材を示す図である。ユーザー設置プリンタ１は、図２に示すように感光体ユニット２１、現像ユニット２２、転写ユニット２３、定着ユニット２４を備え、これらによりプリンタ印字の作像が行われる。
【００１４】
ユーザー設置プリンタ１においては、以下のようなプロセスによりプリンタ印字の作像が行われる。まず、感光体２１上のマイナス電荷の消去された部分にマイナスに帯電したトナー２５を付着させて可視像を形成（現像）する。次に、転写ベルト２３１にプラスバイアスを印加して、マイナスに帯電したトナー像を転写紙Ｐに転写し、搬送する。定着ユニット２４では、転写ユニット２３から送られてきた転写紙Ｐに対して、定着ローラ２４１や加圧ローラ２４２、加熱ローラ２４３により一定の熱と圧力とを加えて、トナー２５を転写紙Ｐ上に融着させる。またトナー量の減少時には、図示しないトナー補給ユニットからトナーの補給を行なう。
【００１５】
図３−１は、本実施の形態にかかるユーザー設置プリンタ１が備える交換構成部品の新旧検知機構１００の一構成例およびその動作を説明する図である。本発明の実施の形態１にかかるユーザー設置プリンタ１の場合には、メンテナンス部品の交換時期を管理するために、メンテナンス部品や各ユニット毎に設定された交換時期をメンテナンスカウンタにより計数している。そして、メンテナンス部品やメンテナンスユニットの交換時にカウンタをクリアして初期化する処理を実行する必要があるが、そのためにはメンテナンス部品やメンテナンスユニットが新品になったかを検知する必要がある。以下、ユーザー設置プリンタ１が備える交換構成部品の新旧検知機構１００について、メンテナンスユニットの交換時を例に説明する。
【００１６】
新品検知機構は、メンテナンスユニット１１０と、メカトロ制御板１２０と、ハーネス１３０と、を有している。
【００１７】
メンテナンスユニット１１０は、感光体ユニット２１、現像ユニット２２、転写ユニット２３、定着ユニット２４などの機能ユニットであり、ここではたとえば定着ユニット２４である。メンテナンスユニット１１０内には、ハーネス１３０を引っ張るための動力を発生する駆動手段としてモータ１１１が備えられており、該ハーネス１３０の一端が接続されている。このモータ１１１は、メンテナンスユニット１１０（定着ユニット２４）内において他の部材を駆動するために設けられているものであっても良く、また、専用のものであっても良い。
【００１８】
メカトロ制御板１２０は、モータ１１１等のメンテナンスユニット１１０の機械部品の駆動を制御し、制御部１２１と、電源部１２２と、ＰＭカウンタ１２３と、新品検知トリガ信号部１２４と、新品検知部１２５と、を有する。制御部１２１は、モータ１１１等のメンテナンスユニット１１０の機械部品の駆動およびメンテナンス部品やメンテナンスユニットが新品か旧品かを検知する新品検知機構の制御を行う。
【００１９】
ＰＭカウンタ１２３は、メンテナンス部品やメンテナンスユニットの使用実績（時間、回数など）を管理する。新品検知トリガ信号部１２４は、駆動手段であるモータ１１１を駆動させるためのモータ駆動信号として機能する新品検知トリガ信号を生成する新品検知トリガ信号回路を有する。新品検知トリガ信号部１２４は、制御部１２１の制御により新品検知トリガ信号を生成する状態（アクティブ）と新品検知トリガ信号を生成しない状態（非アクティブ）が切り替わる。
【００２０】
新品検知部１２５は、制御部がリードしてメンテナンス部品やメンテナンスユニットの新品／旧品を検知するための新品検知信号を生成する新品検知信号回路を有する。新品検知信号回路は、ハーネス１３０の途中に設けられた接続部（コネクタ）１３１の分割部１３２の開放（分離）／接続状態により新品検知信号の電圧状態を変化させる。
【００２１】
また、ハーネス１３０は、新品検知部１２５とメンテナンスユニット１１０とを接続しており、その一部に設けられた接続部において開放（分離）または接続が可能な接続部材である。ハーネス１３０は、メンテナンスユニット１１０側をモータ１１１に引っ張られることにより、接続部（コネクタ）１３１における接続状態が開放（分離）状態または接続状態に変化する。
【００２２】
ここで、ハーネス１３０は、メンテナンスユニット１１０が交換され、新品である場合に、接続部（コネクタ）１３１における接続状態が接続状態とされる。また、ハーネス１３０は、メンテナンスユニット１１０が交換された後、ＰＭカウンタの初期化が行われてメンテナンスユニット１１０が旧品である場合に、接続部（コネクタ）１３１における接続状態が開放（分離）状態とされる。なお、図３−１においては、ハーネス１３０の接続部（コネクタ）１３１における接続状態が接続状態である場合（メンテナンスユニット１１０が新品である場合）を示している。
【００２３】
図４は、本実施の形態にかかるユーザー設置プリンタ１が備える新品検知機構の動作を説明するためのフローチャートである。まず、制御部１２１は、ユーザー設置プリンタ１の状態判定を行い、ユーザー設置プリンタ１の状態がインターロック解除状態（ＯＦＦ）からインターロック未解除状態（ＯＮ）へ移行した状態、省エネ状態からの復帰時、電源ＯＮ時のいずれかの状態であるか否かを判断する（ステップＳ１）。
【００２４】
ユーザー設置プリンタ１の状態がインターロック解除状態（ＯＦＦ）からインターロック未解除状態（ＯＮ）へ移行した状態、省エネ状態からの復帰時、電源ＯＮ時のいずれかの状態でないと判断した場合は（ステップＳ１否定）、制御部１２１は、再度ステップＳ１を繰り返す。一方、マシンの状態がインターロック解除状態（ＯＦＦ）からインターロック未解除状態（ＯＮ）へ移行した状態、省エネ状態からの復帰時、電源ＯＮ時のいずれかの状態であると判断した場合は（ステップＳ１肯定）、制御部１２１は、新品検知部１２５の新品検知信号回路の新品検知信号をリードして（ステップＳ２）、メンテナンスユニット１１０が新品であるか旧品であるかの検知を行う（ステップＳ３）。
【００２５】
メンテナンスユニット１１０が新品であるか旧品であるかの検知は、新品検知信号がグランド（ＧＮＤ）に接続されている状態を新品と検知し、＋５Ｖに接続されている状態を旧品と検知する。ここで、新品検知部１２５においては、新品検知信号回路の新品検知信号は、ハーネス１３０の接続部（コネクタ）１３１が接続されている場合に新品検知信号がグランド（ＧＮＤ）に接続されている状態（０Ｖ）となり、ハーネス１３０の接続部（コネクタ）１３１が開放（分離）されている場合には＋５Ｖに接続されている状態となるように予め新品検知信号回路が設定されている。
【００２６】
メンテナンスユニット１１０が旧品であると判定した場合は（ステップＳ３否定）、新品検知トリガ信号をアクティブ（オン）にする処理を行なわずにそのまま一連の処理を終了する。また、メンテナンスユニット１１０が新品であると判定した場合は（ステップＳ３肯定）、制御部１２１は、メンテナンスユニット１１０の新品検知におけるＰＭカウンタ処理を実行する。すなわち、制御部１２１は、メカトロ制御板１２０上のＰＭカウンタ１２３を初期化（クリア）する（ステップＳ４）。
【００２７】
つぎに、制御部１２１は、電源部１２２から新品検知部１２５の新品検知トリガ信号回路に電流を供給させ、新品検知トリガ信号をアクティブ（オン）に設定する（ステップＳ５）。ここで、新品検知部１２５の新品検知トリガ信号回路への電流の供給は、新品検知トリガ信号が確実にアクティブ（オン）になるように、例えば１秒間のディレイ時間を設ける（ステップＳ６）。
【００２８】
新品検知部１２５の新品検知トリガ信号回路において新品検知トリガ信号がアクティブ（オン）に設定されると、モータ１１１は、該新品検知トリガ信号に基づいて駆動し、図３−２に示すように新品検知部１２５（メカトロ制御板１２０）とメンテナンスユニット１１０とを接続しているハーネスの接続部（コネクタ）１３１を分割部１３２において開放（分離）するように該ハーネスを引っ張る。ここで、新品検知トリガ信号はモータ駆動信号として機能する。そして、ハーネス１３０はこのモータの駆動力により、接続部（コネクタ）１３１が分割部１３２において開放（分離）される。
【００２９】
つぎに、制御部１２１は、新品検知部１２５の新品検知トリガ信号回路への電流の供給を遮断させ、新品検知トリガ信号を非アクティブ（オフ）に設定する（ステップＳ７）。つぎに、制御部１２１は、新品検知部１２５の新品検知信号回路の新品検知信号をリードして（ステップＳ８）、メンテナンスユニット１１０が新品であるか旧品であるかの検知（確認）を再度行う（ステップＳ９）。ここでの検知は、新品検知トリガ信号をアクティブ設定後に、再度新品検知信号の状態を検知しに行くことで、メンテナンスユニット１１０が新品から旧品になったことを判定する。
【００３０】
制御部１２１は、メンテナンスユニット１１０が新品であるか旧品であるかの検知（確認）は、ハーネス１３０が接続されている場合、すなわち新品検知信号がグランド（ＧＮＤ）に接続されている状態を新品と検知し、ハーネス１３０の接続部（コネクタ）１３１が開放（分離）されている場合、すなわち新品検知信号が＋５Ｖに接続されている状態を旧品と検知する。
【００３１】
メンテナンスユニット１１０が旧品であると検知された場合は（ステップＳ９否定）、正常であるため、制御部１２１はそのまま一連の処理を終了する。また、メンテナンスユニット１１０が新品であると検知された場合は（ステップＳ９肯定）、異常であるため、制御部１２１は、ハーネス１３０の開放（分離）フロー（ステップＳ５〜ステップＳ７）の起動回数が３回であるかを判断する（ステップＳ１０）。
【００３２】
ハーネス１３０の開放（分離）フロー（ステップＳ５〜ステップＳ７）の起動回数が３回未満の場合は（ステップＳ１０否定）、ステップＳ５に戻る。また、ハーネス１３０の開放（分離）フロー（ステップＳ５〜ステップＳ７）の起動回数が３回である場合は（ステップＳ１０肯定）、制御部１２１は、動作エラーの発生と判断し、「ユニット：セット不良」の表示を操作パネル１１上の表示装置に表示させる。
【００３３】
以上のような本実施の形態にかかるユーザー設置プリンタ１においては、メンテナンスユニット１１０の交換後、ハーネス１３０の接続部（コネクタ）１３１が分割部１３２において分割してるか否かの開放（分離）／接続状態によりメンテナンスユニット１１０が新品であることを容易かつ確実に把握して、ＰＭカウンタの初期化を行うことができる。これにより、ＰＭカウンタは、メンテナンスユニット１１０の使用実績（時間、回数など）を確実に管理することができ、画像品質が劣化する前にメンテナンスユニット１１０の交換時期を確実に把握することが可能であり、画像品質に優れた画像形成装置が得られる。
【００３４】
実施の形態２．
上述した実施の形態１においては、新品検知部１２５（メカトロ制御板１２０）とメンテナンスユニット１１０とを接続しているハーネス１３０の接続部（コネクタ）１３１を分割部１３２において開放（分離）するための駆動手段として、モータを使用する場合について説明したが、本発明における駆動手段は、モータに限定されるものではない。新品検知部１２５（メカトロ制御板１２０）とメンテナンスユニット１１０とを接続しているハーネス１３０の接続部（コネクタ）１３１を分割部１３２において開放（分離）するための駆動手段としては、たとえば図５−１に示すように、モータの代わりにクラッチ１１２を用いることができる。
【００３５】
なお、図５−１は、実施の形態２にかかるユーザー設置プリンタの新品検知機構の一構成例およびその動作を説明する図である。また、図５−１においては、ハーネス１３０の接続部（コネクタ）１３１の分割部１３２における接続状態が接続状態である場合（メンテナンスユニット１１０が新品である場合）を示している。
【００３６】
この場合には、新品検知トリガ信号がアクティブ（オン）に設定されると、クラッチ１１２は、該新品検知トリガ信号に基づいて駆動し、新品検知部１２５（メカトロ制御板１２０）とメンテナンスユニット１１０とを接続しているハーネス１３０の接続部（コネクタ）１３１を分割部１３２において開放（分離）するように該ハーネスを引っ張る。ここで、新品検知トリガ信号はクラッチ駆動信号として機能する。そして、ハーネス１３０はこのクラッチ１１２の駆動力により、図５−２に示すように接続部（コネクタ）１３１が分割部１３２において開放（分離）される。これ以外の構成および動作については、上述した実施の形態１の場合と同様である。
【００３７】
なお、図５−２は、実施の形態２にかかるユーザー設置プリンタの交換構成部品の新旧検知機構１００の一構成例およびその動作を説明する図である。また、図５−２においては、ハーネス１３０の接続部（コネクタ）１３１の分割部１３２における接続状態が開放（分離）状態である場合（メンテナンスユニット１１０が旧品である場合）を示している。
【００３８】
以上のような本実施の形態にかかるユーザー設置プリンタ１においては、メンテナンスユニット１１０の交換後、ハーネス１３０の接続部（コネクタ）１３１が分割部１３２において分割してるか否かの開放（分離）／接続状態によりメンテナンスユニット１１０が新品であることを容易かつ確実に把握して、ＰＭカウンタの初期化を行うことができる。これにより、ＰＭカウンタは、メンテナンスユニット１１０の使用実績（時間、回数など）を確実に管理することができ、画像品質が劣化する前にメンテナンスユニット１１０の交換時期を確実に把握することが可能であり、画像品質に優れた画像形成装置が得られる。
【００３９】
実施の形態３．
上述した実施の形態１においては、新品検知部１２５（メカトロ制御板１２０）とメンテナンスユニット１１０とを接続しているハーネス１３０の接続部（コネクタ）１３１を分割部１３２において開放（分離）するための駆動手段として、モータを使用する場合について説明したが、本発明における駆動手段は、モータに限定されるものではない。新品検知部１２５（メカトロ制御板１２０）とメンテナンスユニット１１０とを接続しているハーネス１３０の接続部（コネクタ）１３１を分割部１３２において開放（分離）するための駆動手段としては、たとえば図６−１に示すように、モータの代わりにソレノイド１１３を用いることができる。
【００４０】
なお、図６−１は、実施の形態３にかかるユーザー設置プリンタの新品検知機構の一構成例およびその動作を説明する図である。また、図６−１においては、ハーネス１３０の接続部（コネクタ）１３１の分割部１３２における接続状態が接続状態である場合（メンテナンスユニット１１０が新品である場合）を示している。
【００４１】
この場合には、新品検知トリガ信号がアクティブ（オン）に設定されると、ソレノイド１１３は、該新品検知トリガ信号に基づいて駆動し、新品検知部１２５（メカトロ制御板１２０）とメンテナンスユニット１１０とを接続しているハーネス１３０の接続部（コネクタ）１３１を分割部１３２において開放（分離）するように該ハーネスを引っ張る。ここで、新品検知トリガ信号はソレノイド駆動信号として機能する。そして、ハーネス１３０はこのソレノイド１１３の駆動力により、図６−２に示すように接続部（コネクタ）１３１が分割部１３２において開放（分離）される。これ以外の構成および動作については、上述した実施の形態１の場合と同様である。
【００４２】
なお、図６−２は、実施の形態２にかかるユーザー設置プリンタの交換構成部品の新旧検知機構１００の一構成例およびその動作を説明する図である。また、図６−２においては、ハーネス１３０の接続部（コネクタ）１３１の分割部１３２における接続状態が開放（分離）状態である場合（メンテナンスユニット１１０が旧品である場合）を示している。
【００４３】
以上のような本実施の形態にかかるユーザー設置プリンタ１においては、メンテナンスユニット１１０の交換後、ハーネス１３０の接続部（コネクタ）１３１が分割部１３２において分割してるか否かの開放（分離）／接続状態によりメンテナンスユニット１１０が新品であることを容易かつ確実に把握して、ＰＭカウンタの初期化を行うことができる。これにより、ＰＭカウンタは、メンテナンスユニット１１０の使用実績（時間、回数など）を確実に管理することができ、画像品質が劣化する前にメンテナンスユニット１１０の交換時期を確実に把握することが可能であり、画像品質に優れた画像形成装置が得られる。
【００４４】
なお、上述した実施の形態においては、新品検知部１２５とメンテナンスユニット１１０とが接続部（コネクタ）１３１において機械的に分割されて、接続部（コネクタ）１３１が分割しているか否かの接続状態が切り替わる場合について説明したが、この接続部（コネクタ）１３１における接続は、機械的接続および電気的接続の少なくとも一方であれば良く、新品検知部１２５は、新品検知部１２５とメンテナンスユニット１１０との電気的接続状態に基づいてメンテナンスユニット１１０が新品であるか旧品であるかを検知するようにしても良い。
【００４５】
また、上述した実施の形態においては、接続部材であるハーネス１３０を接続部（コネクタ）１３１により２つに分割可能な形態について説明したが、接続部材を３つ以上に分割する形態としても良い。これにより、たとえば２つのメンテナンスユニット１１０と１つの新品検知部１２５とを備えた構成に本発明を適用することができる。
【産業上の利用可能性】
【００４６】
以上のように、本発明にかかる交換構成部品の新旧検知機構は、高品質な画像が要求される画像形成装置に有用である。
【図面の簡単な説明】
【００４７】
【図１】本発明の実施の形態１にかかる画像形成装置であるユーザー設置プリンタを示す図である。
【図２】本発明の実施の形態１にかかるユーザー設置プリンタがプリンタ印字の作像のためにその内部に備える主要な構成部材を示す図である。
【図３−１】本発明の実施の形態１にかかるユーザー設置プリンタの新品検知機構の一構成例およびその動作を説明する図である。
【図３−２】本発明の実施の形態１にかかるユーザー設置プリンタの新品検知機構の一構成例およびその動作を説明する図である。
【図４】本発明の実施の形態１にかかるユーザー設置プリンタの新品検知機構の動作を説明するためのフローチャートである。
【図５−１】本発明の実施の形態２にかかるユーザー設置プリンタの新品検知機構の一構成例およびその動作を説明する図である。
【図５−２】本発明の実施の形態２にかかるユーザー設置プリンタの新品検知機構の一構成例およびその動作を説明する図である。
【図６−１】本発明の実施の形態３にかかるユーザー設置プリンタの新品検知機構の一構成例およびその動作を説明する図である。
【図６−２】本発明の実施の形態３にかかるユーザー設置プリンタの新品検知機構の一構成例およびその動作を説明する図である。
【符号の説明】
【００４８】
１  ユーザー設置プリンタ
１１  操作パネル
２１  感光体ユニット
２２  現像ユニット
２３  転写ユニット
２４  定着ユニット
２５  トナー
１００  交換構成部品の新旧検知機構
１１０  メンテナンスユニット
１１１  モータ
１１２  クラッチ
１１３  ソレノイド
１２０  メカトロ制御板
１２１  制御部
１２２  電源部
１２３  カウンタ
１２４  新品検知トリガ信号部
１２５  新品検知部
１３０  ハーネス
１３１  接続部（コネクタ）
１３２  分割部
２３１  転写ベルト
２４１  定着ローラ
２４２  加圧ローラ
２４３  加熱ローラ
【図１】
2009058680.tif 000003
【図２】
2009058680.tif 000004
【図３−１】
2009058680.tif 000005
【図３−２】
2009058680.tif 000006
【図４】
2009058680.tif 000007
【図５−１】
2009058680.tif 000008
【図５−２】
2009058680.tif 000009
【図６−１】
2009058680.tif 000010
【図６−２】
2009058680.tif 000011